(57)【特許請求の範囲】
【請求項１】
回転によって紙葉類を細断するカッターユニットを備え、カッターユニットは、互いに平行に配置されたカッター軸と、各カッター軸の軸方向に間隔をおいて設けられた複数のカッターと、細断屑をカッターから剥離するセパレータとを有するシュレッダーであって、
前記セパレータは、前記カッター間にそれぞれ配置され、前記各セパレータには、前記カッター軸の周方向に間隔を有する合わせ面が形成され、その合わせ面間には、前記細断屑が前記カッター軸の中心側へ進入するのを防ぐ進入防止手段が設けられている、シュレッダー。
【請求項２】
前記セパレータは、その一部を塑性変形させることで、全体が前記カッター軸の周方向に添って巻き付く板状に形成されている、請求項１記載のシュレッダー
【請求項３】
前記細断屑の進入防止手段は、相対する合わせ面が前記カッター軸の周方向に延びることで重なる重なり部分を有する、請求項１記載のシュレッダー。
【請求項４】
前記カッターの外周面には、紙葉類を短冊に切断するための鋭角な刃先を有する溝付きの細断刃が、カッターの周方向に間隔をおいて複数形成され、前記重なり部分は、前記細断刃の溝底よりもカッター軸の中心側へ位置している、請求項３記載のシュレッダー。
【請求項５】
前記細断屑の進入防止手段は、前記合わせ面の一方に設けられた凹部と、他方に設けられて前記凹部に嵌り込む凸部とを含む、請求項１記載のシュレッダー。
【請求項６】
前記カッターの半径方向線分と、前記細断刃の鋭角な刃先から溝底へ向かう線分とがなす角度をθ１、前記カッターの半径方向線分と、前記セパレータの合わせ面がセパレータの外周側に向かって延びる線分とがなす角度をθ２としたとき、θ１＞θ２の関係に設定されている、請求項１記載のシュレッダー。
【請求項７】
前記セパレータ側面と前記カッター間の間隔よりも小さく形成されたセパレータガイド溝との間隔が、前記セパレータガイド溝の溝幅の３〜５％または０．０３ｍｍ以上０．０９ｍｍ以下に設定されている、請求項１記載のシュレッダー。
【請求項８】
前記セパレータの、前記細断片を剥離する剥離面の位置が、前記セパレータガイド溝の溝壁の最上部に形成された段部の位置と同一レベル、もしくは前記段部の位置よりも前記カッター軸の中心側へ位置している、請求項７記載のシュレッダー。
【発明の詳細な説明】
【０００１】
【発明の属する技術分野】
本発明は、紙葉類を細かく細断するためのシュレッダーに関する。特に、細断屑をカッターから剥離するセパレータの構造に配慮した技術に関する。
【０００２】
【従来の技術】
紙葉類のシュレッダーは、紙葉類を投入する投入口部の直下に、その投入された紙葉類を細断するカッターユニットを備えている。カッターユニットは、互いに噛み合う形態で平行に配置された一対のカッター軸を備えている。各カッター軸には、複数のカッターがカッター軸の軸方向に間隔をおいてそれぞれ設けられている。各カッター間には、細断屑を除去するためのセパレータがそれぞれ配置されている。
【０００３】
このカッターユニットには、一般に、図１０に示す一体形と、図１１に示す枚葉形とがある。これらの概要について説明すると、図１０の一体形は、主に金属製で、円筒若しくは円柱軸となるカッター軸１の外周に、高精度の幅とピッチで溝１ａが切削され、各溝１ａ、１ａ間の大径部がカッター（切断刃）１１、１１として加工されている。カッター１１、１１間にはセパレータＳが配置される。
【０００４】
図１１の枚葉形は、カッター軸１の外周部分にカッタープレート２、ディスタントピース３、セパレータ４と順次はめ込み、両端をストップリングで止めた構造になっている。カッタープレート２とカッター軸１との間は、例えば六角形の断面形状とされ、カッタープレート２とカッター軸１との相対回転が阻止される構成となっている。これらの図において、７ａ、７ｂは軸受け、８ａ、８ｂは同期歯車を示している。
【０００５】
この枚葉形は組立式であるから、カッタープレート２、セパレータ４等の形状は比較的自由に決められるが、構造が複雑である。それに対し、一体形は、構造は簡単であるが、高精度で特殊な加工技術が要求される。しかし、今後はこの一体形が主流になる傾向にある。
【０００６】
ところで、この種のシュレッダーでは、投入口へ投入された紙葉類（以下、紙と呼ぶ）は、投入口の下に配置されているカッターユニットで細断された後、屑箱へと落下する。その際、細断された屑片（細断屑）は、カッターユニットに付着することなく、屑箱へ向けて円滑に落下することが望ましい。
【０００７】
しかし、この細断屑は、一般に次のような性質をもつ。
（ａ）細断屑は小片で軽量であるため、容易に飛び散ること。
（ｂ）平らな紙片ではなく、極端に曲がった部分があり、他の部分や細断屑どうしで引っかかり易いこと。
（ｃ）細断屑の切断部分に凹凸が多く、物に引っかかり易いこと。
【０００８】
この結果、シュレッダーの機能や性能上において、次のような種々の問題を生じる。
【０００９】
（１）隙間に入り込み、機械の間隙を詰まらせるため、動きが円滑でなくなる。例えば、図１２及び図１３に示すように、カッター軸１とセパレータＳとの間に細断屑Ｐ１が入ると、次第に蓄積されて回転抵抗を増大させる。
（２）カッター１１の側面とセパレータＳ側面との間の隙間に細断屑Ｐ１が入り込むと、セパレータＳをカッター１１側へ押し付ける作用が生じる。この作用が大きくなると、カッター側面でセパレータＳを擦り、回転抵抗を増大させる。（例えば図１０参照）
（３）細断屑Ｐ１がカッター１１に引っかかって回転方向に引きずられて移動するが、特に、カッター外周に設けてある細断刃１１ａの鋭角刃先（図１３の傾斜角θ２）でこの作用が大きい。この点、図１３に示すセパレータＳの場合、細断屑Ｐ１を上方へ移動させる作用が大きく、カッターユニット１０の周囲に細断屑Ｐ１を蓄積させる傾向がある。従って、カッターユニット周囲のケースとの空間形状が狭い場合には、細断屑がそこに蓄積されて固まったり、予期せぬ時に落下することもあった。さらに、細断屑の固まり等が発生して装置に損傷を与える可能性もある。
【００１０】
図１４に示すセパレータＳは、一体形カッターに用いるセパレータの一例を示している。枚葉形カッターでは、セパレータをカッター軸１に通す方式であるから、セパレータの外形形状が自由にとれるのに対し、一体形では、カッター軸１を包むようなセパレータ形状とするためには、この図に示すように二分割しなければならない。その場合、合わせ目間の間隙δを小さくできる利点はあるが、セパレータガイド６も増え、部品点数増加に伴う製作コストの上昇を招く問題がある。
【００１１】
【発明が解決しようとする課題】
よって、本発明の課題は、上述のような細断屑の挙動を制限して、発生した細断屑を円滑に屑箱へ落下させることで、細断屑の巻き付き現象を改善し、耐久性向上、騒音抑制、製作コストの低減等を図ることができるシュレッダーの技術を提供することにある。
【００１２】
【課題を解決するための手段】
本発明に係るシュレッダーは、回転によって紙葉類を細断するカッターユニットを備え、カッターユニットは、互いに平行に配置されたカッター軸と、各カッター軸の軸方向に間隔をおいて設けられた複数のカッターと、細断屑をカッターから剥離するセパレータとを有するシュレッダーであって、セパレータは、カッター間にそれぞれ配置され、各セパレータには、カッター軸の周方向に間隔を有する合わせ面が形成され、その合わせ面間には、細断屑がカッター軸の中心側へ進入するのを防ぐ進入防止手段が設けられている構成とした。
【００１３】
本発明によれば、各セパレータには、カッター軸の周方向に間隔を有する合わせ面が形成され、その合わせ面間には、細断屑がカッター軸の方向へ進入するのを防ぐ進入防止手段が設けられている。従って、細断屑が合わせ面間の間隙を通ってカッター軸側へ進入することが防止される。これにより、細断屑の挙動を制限して、細断屑を円滑に落下させることができる。その結果、細断屑の巻き付き現象を改善し、耐久性向上、並びに騒音抑制等を図ることができる。
【００１４】
前記セパレータは、その一部を塑性変形させることで、全体がカッター軸の周方向に添って巻き付く板状に形成されている構成とすることが望ましい。セパレータをこのように構成した場合、セパレータ自体を金属板の打ち抜き加工によって簡易に製作でき、製作コストを低減することができる。
【００１５】
前記細断屑の進入防止手段は、相対する合わせ面がカッター軸の周方向に延びることで重なる重なり部分を有することが望ましい。この重なり部分を設けた場合、相対する合わせ面が湾曲する形態となるので、細断屑がカッター軸側へ進入し難い形状となる。
【００１６】
前記カッターの外周面には、紙葉類を短冊に切断するための鋭角な刃先を有する溝付きの細断刃が、カッターの周方向に間隔をおいて複数形成され、重なり部分は、細断刃の溝底よりもカッター軸の中心側へ位置していることが望ましい。相対する合わせ面の重なり部分を細断刃の溝底よりもカッター軸側へ設けることによって、重なり部分の機能をより効果的に発揮させることができる。即ち、溝底より外側の細断刃の領域では、その鋭角な刃先によって細断屑を引き込む作用が大きい。従って、その領域よりカッター軸の中心側へ寄せた位置に重なり部分を設けることで、細断屑を引き込む作用を効果的に抑制することができる。
【００１７】
前記細断屑の進入防止手段は、合わせ面の一方に設けられた凹部と、他方に設けられて凹部に嵌り込む凸部とを含むことが望ましい。このように進入防止手段の一部を凹凸嵌合する部分で構成した場合、重なり部分と同様に簡易な構成で実現することができる。
【００１８】
前記カッターの半径方向線分と、細断刃の鋭角な刃先から溝底へ向かう線分とがなす角度をθ１、前記カッターの半径方向線分と、前記セパレータの合わせ面がセパレータの外周側に向かって延びる線分とがなす角度をθ２としたとき、
θ１＞θ２の関係に設定されていることが望ましい。このように設定した場合、合わせ面間に進入してきた細断屑が抜け出しやすい形態となる。従って、合わせ面においては、細断屑は進入し難く、抜け出し易い形態となる。
【００１９】
前記セパレータ側面とカッター間の間隔よりも小さく形成されたセパレータガイド溝との間隔が、セパレータガイド溝の溝幅の３〜５％または０．０３ｍｍ以上０．０９ｍｍ以下に設定されていることが望ましい。このように設定した場合、セパレータ側面とセパレータガイド溝の溝壁との間の間隔が、紙巻き込み防止適正値に設定されるだけでなく、隣り合うセパレータとカッターとが接触しないように規制することができる。
【００２０】
前記セパレータの、細断片を剥離する剥離面の位置が、セパレータガイド溝の溝壁の最上部に形成された段部の位置と同一レベル、もしくは段部の位置よりもカッター軸の中心側へ位置していることが望ましい。この構成によって、セパレータの側面とセパレータガイド溝の溝壁との間の間隔を小さくして、より効果的に紙巻き込み防止適正値に設定することができる。
【００２１】
【発明の実施の形態】
以下、本発明の実施の形態について、図１〜図９を参照して説明する。
これらの図は、本発明を紙やシート等の紙葉類（以下紙と略す）を細断する一体形カッターを備えたシュレッダーに適用した実施形態を示すものである。図１は投入口部及びカッターユニットの縦断面図である。図２は投入口部及びカッターユニットの９０度異なる方向での縦断面図である。図３はカッターユニットの拡大図である。図４はカッター軸へ装着前のセパレータの形状を示す正面図であり、図５は装着後のセパレータの形状を示す正面図である。
【００２２】
この実施形態に係るシュレッダーは、図１〜図５に示すように、紙の束を細断するカッターユニット１０と、紙の束の投入口部２０と、その投入口部２０を支持するハウジング（外装ケース）３０と、投入口部２０を外装ケース３０に対して着脱可能に保持する保持装置５０とを備えている。
【００２３】
カッターユニット１０の上方に配置されている投入口部２０は、紙の束を受け入れる上部開口２１と、紙の束をカッターユニット１０の切断部に向けて自重で排出（落下）する下部開口２２とを有し、全体が漏斗形状に形成されている。下部開口２２は安全性に配慮した最小開口幅Ｂに設定されている。この投入口部２０は、これを支持する外装ケース３０とは別体として構成されている。
【００２４】
カッターユニット１０は、図１及び図２に示すように、互いに噛み合う形態で平行に配置された一対のカッター軸１、１を備えている。各カッター軸１、１には、複数のカッター１１がカッター軸１、１の軸方向に間隔をおいてそれぞれ設けられている。各カッター１１の間には、セパレータＳがそれぞれ配置されている。各セパレータＳは複数のセパレータガイド６によってカッター１１間に位置決めされている。
【００２５】
図３は、紙の束Ｐがカッターユニット１０によって細断されている状態を拡大して示した図である。この図では、紙の束Ｐが引き込まれて、図中右側のカッター１１の細断刃１１ａの先端で切断されつつある状態が示されている。その下方には左側のセパレータＳの剥離面Ｓ１で押し出されている切断屑Ｐ２の状態が示されている。
【００２６】
同図に示すように、紙の束Ｐの後端が投入口最小幅Ｂの位置から上方Ｇ’の距離にある状態で紙詰まりした場合、これを手で掴んで容易に引き出せる。紙の束Ｐの後端がＧの距離では、これを掴むことも難しい。その場合、カッターユニット１０を逆転させる操作が行われる。
【００２７】
各セパレータＳには、図４及び図５に示すように、カッター軸１の周方向に間隔を有する合わせ面１２ａ、１２ｂが形成され、その合わせ面１２ａ、１２ｂ間には、細断屑Ｐ１がカッター軸１の中心側へ進入するのを防ぐ進入防止手段１３が設けられている。この進入防止手段１３は、後述するように、凹部１３ａと凸部１３ｂとが嵌合した部分を含む、重なり部分ｗと、傾斜を付けた合わせ面１２ｂで形成される。
【００２８】
図示例のセパレータＳは、その一部を塑性変形させることで、全体がカッター軸１の周方向に添って巻き付く板状に形成されている。即ち、このセパレータＳには、図４に示すように、塑性変形可能な薄肉ヒンジ部１４が形成されている。セパレータＳをこのように構成することで、セパレータＳ自体を金属板の打ち抜き加工によって簡易に製作することができる。
【００２９】
これにより、セパレータＳの製作コストを低減することができる。使用されるセパレータＳの枚数は多いので、コスト低減に効果的である。合わせ面１２ａ、１２ｂ間にギャップが形成されるのは、塑性変形後において薄肉ヒンジ部１４の残存する弾力性の作用（スプリングバック作用）で、合わせ面１２ａ、１２ｂが離間することに起因している。
【００３０】
セパレータＳのカッター軸１が貫通するガイド孔１５は、図４に示すように、半割されて片側が開いた形状である。図４において、符号１６はセパレータガイド６の貫通孔を示している。
【００３１】
細断屑Ｐ１の進入防止手段１３は、相対する合わせ面１２ａ、１２ｂがカッター軸１の周方向に延びることで形成された、図３に示す重なり部分ｗを有している。この重なり部分ｗを設けた場合、相対する合わせ面１２ａ、１２ｂが湾曲する形態となるので、細断屑Ｐ１がカッター軸１側へ進入し難い形状となる。即ち、相対する合わせ面１２ａ、１２ｂは、カッター軸１の周方向に延びた後、カッター軸１の半径方向へ延びる形態となっている。このように、相対する合わせ面１２ａ、１２ｂが湾曲する形態となるのは、互いに嵌り合う凹部１３ａと凸部１３ｂの存在による。
【００３２】
従って、図示例の進入防止手段１３の重なり部分ｗは、換言すれば、合わせ面１２ａ側に設けられた凹部１３ａと、合わせ面１２ｂ側に設けられて凹部１３ａに嵌り込む凸部１３ｂとにより形成されている。このように進入防止手段１３の重なり部分ｗを凹凸嵌合する部分で構成しているのは、重なり部分ｗを簡易な構成で実現することができるからである。
【００３３】
カッター１１の外周面には、紙葉類Ｐを短冊に切断するための鋭角な刃先を有する溝付きの細断刃１１ａが、カッター１１の周方向に間隔をおいて複数形成されている。そして、重なり部分ｗは、細断刃１１ａの溝底１１ｂよりもカッター軸１側へ位置するように形成されている。相対する合わせ面１２ａ、１２ｂの重なり部分ｗを細断刃１１ａの溝底１１ｂよりもカッター軸１側へ設けることによって、重なり部分ｗの機能をより効果的に発揮させることができるからである。
【００３４】
即ち、溝底１１ｂより外側の細断刃１１ａの領域では、その鋭角な刃先によって細断屑Ｐ１を引き込む作用が大きい。従って、その領域よりカッター軸１側へ寄せた位置に重なり部分ｗを設けることで、細断屑Ｐ１を引き込む作用を効果的に抑制することができる。
【００３５】
重なり部分ｗと共に進入防止手段１３を構成する合わせ面１２ｂは、図１に示すように、カッター軸１の半径方向線分よりも、カッター軸１の正転側へ大きく傾斜していると共に、細断刃１１ａとの間で、互いに次のような関係に設定されている。
【００３６】
カッター１１の半径方向線分と、細断刃１１ａの鋭角な刃先から溝底１１ｂへ向かう線分とがなす角度をθ１、カッター１１の半径方向線分と、セパレータＳの合わせ面１２ｂがセパレータＳの外周側に向かって延びる線分とがなす角度をθ２としたとき、θ１＞θ２の関係に設定されている。このように設定することで、合わせ面１２ａ、１２ｂ間に進入してきた細断屑Ｐ１が抜け出しやすい形態となる。従って、合わせ面１２ａ、１２ｂ間においては、細断屑Ｐ１は進入し難く、抜け出し易い形態とすることができる。
【００３７】
この点、セパレータＳの合わせ面１２ａ、１２ｂを、図６に示すように形成した場合、図１、図５等に示すように、θ１＞θ２の関係に設定されている場合よりも、細断屑Ｐ１が合わせ面１２ａ、１２ｂ間に進入しやすく、抜け出し難い。これは、図１３で説明した理由と同じである。但し、この図６に示す例では、凹部１３ａとそれに嵌り込む凸部１３ｂとが設けられているため、この部分が進入防止手段１３を構成する。従って、この例においても、細断屑Ｐ１の進入防止効果が得られる。
【００３８】
図１において、Ｒ１はカッター１１の外周半径を、Ｒ２は、細断刃１１ａの溝底までの半径を、Ｒ３はセパレータ重なり部ｗの大半径部を、Ｒ４はセパレータ重なり部ｗの小半径部をそれぞれ示している。
【００３９】
図７及び図８は、カッター１１間の溝（間隔）及びセパレータガイド溝１７を明示するための縦断面図及び横断面図である。セパレータガイド溝１７は、カッター軸１の中心側へ最も近い溝であり、このセパレータガイド溝１７間にセパレータＳが溝底及び溝壁との間で高精度の間隙を保持して配置されている。
【００４０】
図９（ａ）に示すように、カッター１１間の間隔よりも小さく形成されたセパレータガイド溝１７の溝幅をＸ、セパレータＳの厚さをＹとしたとき、セパレータＳの側面とセパレータガイド溝１７の溝壁との間隔δ１＝（Ｘ−Ｙ）／２は、セパレータガイド溝１７の溝幅の３〜５％又は０．０３ｍｍ以上０．０９ｍｍ以下に設定されている。
【００４１】
このように設定することで、セパレータＳの側面とセパレータガイド溝１７の溝壁との間の間隔δ１が、紙巻き込み防止適正値に設定されるだけでなく、隣り合うセパレータＳとカッター１１とが接触しないように規制することができる。これらの数値は、実験結果から得られたものであるが、概ね、次のような理由が考えられる。
【００４２】
紙の束Ｐの細断中に過剰に投入した場合、カッターユニット１０を逆転して詰まった紙の束Ｐを手元に戻してから、紙の量を減らして再投入することになる。すると、先に細断された先端部分が再度カッターで切断されて更に細かく切られた細断片Ｐ２となり、これが上記の隙間δ１に入る問題が生じていた。この点、上記の実験結果から得られた数値を採用することで、こうした問題を積極的に防止することができる。即ち、間隔δ１と、細断片Ｐ２の厚さｔ１との関係において、少なくとも、δ１＜ｔ１の関係とすることで、間隔δ１を紙巻き込み防止適正値に設定することができる。
【００４３】
さらに、セパレータガイド溝１７の深さは、カッター１１、１１間の間隔が溝底近くで狭くなる、両側の段部１７ａから溝底までであるが、この段部１７ａの高さと、セパレータＳの剥離面（細断片を剥離するための面）Ｓ１の高さＲ５との関係についても、次のように配慮されている。この配慮は、上記の隙間δ１への細断片Ｐ２の進入をさらに効果的に防止するためである。ここで、Ｒ５は、カッター軸１の軸心１ｃから剥離面Ｓ１までの距離（カッター軸１の半径方向の距離）を示している。
【００４４】
即ち、図９（ｂ）に示すように、セパレータＳの剥離面Ｓ１はセパレータガイド溝１７の段部１７ａよりも段差ｔ２の分だけ溝底側へ位置させるか、図９（ａ）に示すように、ほぼ同一レベル設定している。より好ましくは、図９（ｂ）に示す形態である。段差ｔ２は特に限定されない。しかし、カッター軸１が貫通するガイド孔１５と剥離面Ｓ１間の肉厚（薄肉ヒンジ部１４部分の肉厚）が薄くなり過ぎないように配慮する必要がある。
【００４５】
実施の形態では、各セパレータＳには、カッター軸１の周方向に間隔を有する合わせ面１２ａ、１２ｂが形成され、その合わせ面１２ａ、１２ｂ間には、細断屑Ｐ１やＰ２がカッター軸１の方向（セパレータガイド溝１７の溝底方向）へ進入するのを防ぐ進入防止手段１３が設けられている。従って、細断屑Ｐ１、Ｐ２が合わせ面１２ａ、１２ｂ間の間隙を通ってカッター軸１側へ進入することが防止される。これにより、細断屑の挙動を制限して、細断屑を円滑に落下させることができる。その結果、細断屑の巻き付き現象を改善し、耐久性向上、並びに騒音抑制等を図ることができる。
【００４６】
【発明の効果】
以上のように、本発明のシュレッダーによれば、セパレータに形成された合わせ面間に、細断屑がカッター軸側へ進入するのを防ぐ進入防止手段を設けることで、細断屑の挙動を制限して、発生した細断屑を円滑に屑箱へ落下させることができる。これにより、細断屑の巻き付き現象を改善し、耐久性向上、騒音抑制、製作コストの低減等を図ることができる。
【図面の簡単な説明】
【図１】本発明の実施の形態に係るシュレッダーの要部の縦断面図である。
【図２】本発明の実施の形態に係るシュレッダーの要部の縦断面図である。
【図３】本発明の実施の形態に係るシュレッダーのカッターユニットの拡大図である。
【図４】本発明の実施の形態に係るシュレッダーのカッター軸へ装着前のセパレータの正面図である。
【図５】本発明の実施の形態に係るシュレッダーのカッター軸へ装着後のセパレータの正面図である。
【図６】本発明の実施の形態に係るセパレータの合わせ面の他の例を示す正面図である。
【図７】本発明の実施の形態に係るシュレッダーのカッターユニットの縦断面図である。
【図８】本発明の実施の形態に係るシュレッダーのカッターユニットの横断面図である。
【図９】本発明の実施の形態に係るシュレッダーのカッターユニットの要部の拡大断面図である。
【図１０】既存のカッターユニット（一体形）の構成を示す横断面図である。
【図１１】既存のカッターユニット（枚葉形）の構成を示す横断面図である。
【図１２】既存のセパレータの構成を示す正面図である。
【図１３】既存のセパレータの構成を示す正面図である。
【図１４】既存のセパレータの構成を示す正面図である。
【符号の説明】
１  カッター軸
２  カッタープレート
４  セパレータ
６  セパレータガイド
１０  カッターユニット
１１  カッター
１１ａ  細断刃
１２ａ、１２ｂ  合わせ面
１３  進入防止手段
１３ａ  凹部
１３ｂ  凸部
１４  薄肉ヒンジ部
１５  ガイド孔
１６  貫通孔
１７  セパレータガイド溝
１７ａ  段部
２０  投入口部
２１  上部開口
２２  下部開口
２４  内側面
２５  フランジ
３０  外装ケース
５０  保持装置
Ｓ  セパレータ
Ｓ１  剥離面
Ｐ  紙の束
Ｐ１、Ｐ２  細断片
【図１】
0003970054.tif 000002
【図２】
0003970054.tif 000003
【図３】
0003970054.tif 000004
【図４】
0003970054.tif 000005
【図５】
0003970054.tif 000006
【図６】
0003970054.tif 000007
【図７】
0003970054.tif 000008
【図８】
0003970054.tif 000009
【図９】
0003970054.tif 000010
【図１０】
0003970054.tif 000011
【図１１】
0003970054.tif 000012
【図１２】
0003970054.tif 000013
【図１３】
0003970054.tif 000014
【図１４】
0003970054.tif 000015